(57)【要約】【課題】  多種多様な機能部品を簡単な作業で取り付けることができ、下方からの衝撃等で容易にずれたり外れたりすることのない壁面用ハンガーレールユニットを提供する。【解決手段】  壁面用ハンガーレールユニット１は、長尺のハンガーレール２と、ハンガーレール２の裏面側と壁面９とに取り付けられハンガーレール２と壁面９との間に隙間を確保する支持ブラケット３と、ハンガーレール２に取り付けられる各種機能部品（棚３０，天板４０）とを有する。ハンガーレール２の裏面側には、レール幅の上下部において、機能部品３０，４０を支持する支持片２５，２４を備えた係止溝２２，２２が、長尺方向に沿ってそれぞれ設けられる。機能部品３０，４０には、係止溝２２に挿入して係止する係止部３１，４１が設けられる。係止部３１，４１と支持片２５，２４との間に弾性材１０が介装される。【選択図】      図２
2008061721.tif 000002
【特許請求の範囲】
【請求項１】
長尺のハンガーレールと、該ハンガーレールの裏面側と壁面とに取り付けられ前記ハンガーレールと前記壁面との間に隙間を確保する支持ブラケットと、前記ハンガーレールに取り付けられる各種機能部品とからなる壁面用ハンガーレールユニットにおいて、
前記ハンガーレールの裏面側にはレール幅の上下部において前記機能部品を支持する支持片を備えた係止溝が長尺方向に沿ってそれぞれ設けられ、前記機能部品には前記係止溝に挿入して係止する係止部が設けられ、前記係止部と前記支持片との間に弾性材が介装されていることを特徴とする壁面用ハンガーレールユニット。
【請求項２】
請求項１に記載の壁面用ハンガーレールユニットにおいて、前記弾性材は、前記機能部品の係止部に嵌装されたパッキンであることを特徴とする壁面用ハンガーレールユニット。
【請求項３】
請求項１に記載の壁面用ハンガーレールユニットにおいて、前記弾性材は、前記ハンガーレールの支持片に嵌装されたパッキンであることを特徴とする壁面用ハンガーレールユニット。
【請求項４】
請求項２または３のいずれかに記載の壁面用ハンガーレールユニットにおいて、前記係止部は一方係止片と他方係止片とから略コ字形を呈し、前記ハンガーレールの係止溝と支持片とに略コ字形の前記係止部を挿入することでこれらの間に前記弾性材が介装されていることを特徴とする壁面用ハンガーレールユニット。
【請求項５】
請求項１〜４のいずれかに記載の壁面用ハンガーレールユニットにおいて、前記機能部品の背面部が前記壁面に面接触して取り付けられていることを特徴とする壁面用ハンガーレールユニット。
【発明の詳細な説明】
【技術分野】
【０００１】
本発明は、壁面に取り付けられたレールに、フックや棚等の各種機能部品を取り付けて構成される壁面用ハンガーレールユニットに関するものである。
【背景技術】
【０００２】
従来、壁面に取り付けられた長尺のハンガーレールに、フックや棚等の各種機能部品を、引掛け、吊持、係合等により支持して取り付けることが行われている。このような方法で各種機能部品を支持することにより、壁面等の内装材に大規模な改造を加えることなく、壁面の任意の場所に各種機能部品を取り付けることができる。
【０００３】
このような壁面用ハンガーレールにおいては、各種機能部品のハンガーレールへの取付部が外から見えると、室内に煩雑な印象を与え、外観上好ましくない。そのため、レールの裏面側に各種機能部品を取り付ける方法が提案され、例えば特許文献１および特許文献２に開示されている。
【０００４】
特許文献１には、壁面と離間して配置されたハンガーレールの裏側に設けた係止フックに、小物保持体等の機能部品の上部に設けた折り返し片を係止することにより、機能部品が取り付けられるものが開示されている。また、特許文献２には、壁面に取り付けた支持部材に下向きに開口して形成されたフック係合部に、機能部品を挿入し、係合部の一部または全体を変形させることにより機能部品が取り付けられるものが開示されている。
【特許文献１】特許第２８７５６５４号公報
【特許文献２】特開２００４−７３６５８号公報
【発明の開示】
【発明が解決しようとする課題】
【０００５】
特許文献１に開示された構造によれば、機能部品に下向きの力が作用するときには、折り返し片が係止フックに係止された状態が保持される。ところが、折り返し片が上方にずれやすいため、機能部品の下方から上向きの衝撃力が作用すると、がたつきが生じやすい。
【０００６】
また、特許文献２に開示された構造によれば、少ない部品点数で、取付部を露出することなく機能部品が取り付けられる。ところが、機能部品の下方から衝撃力が作用した場合、取付部に取付作業時と逆方向の力が作用して、ずれやすいという問題がある。
【０００７】
本発明は、このような従来の問題点を考慮してなされたものであり、多種多様な機能部品を簡単な作業で取り付けることができ、下方からの衝撃等で容易にずれたり外れたりすることないの壁面用ハンガーレールユニットの提供を目的とする。
【課題を解決するための手段】
【０００８】
上記問題を解決するため、本発明に係る壁面用ハンガーレールユニットは、特許請求の範囲の請求項１〜５に記載の手段を採用する。
【０００９】
請求項１の発明は、長尺のハンガーレールと、該ハンガーレールの裏面側と壁面とに取り付けられ前記ハンガーレールと前記壁面との間に隙間を確保する支持ブラケットと、前記ハンガーレールに取り付けられる各種機能部品とからなる壁面用ハンガーレールユニットにおいて、前記ハンガーレールの裏面側にはレール幅の上下部において前記機能部品を支持する支持片を備えた係止溝が長尺方向に沿ってそれぞれ設けられ、前記機能部品には前記係止溝に挿入して係止する係止部が設けられ、前記係止部と前記支持片との間に弾性材が介装されていることを特徴とする。
【００１０】
請求項２の発明は、請求項１の発明において、前記弾性材は、前記機能部品の係止部に嵌装されたパッキンであることを特徴とする。
【００１１】
請求項３の発明は、請求項１の発明において、前記弾性材は、前記ハンガーレールの支持片に嵌装されたパッキンであることを特徴とする。
【００１２】
請求項４の発明は、請求項２または３の発明において、前記係止部は一方係止片と他方係止片とから略コ字形を呈し、前記ハンガーレールの係止溝と支持片とに略コ字形の前記係止部を挿入することでこれらの間に前記弾性材が介装されていることを特徴とする。
【００１３】
請求項５の発明は、請求項１〜４のいずれかに記載の発明において、前記機能部品の背面部が前記壁面に面接触して取り付けられていることを特徴とする。
【発明の効果】
【００１４】
請求項１の発明によると、機能部品の係止部とハンガーレールの支持片との間に弾性材が介装されることにより、ハンガーレールと機能部品とが隙間なく取り付けられる。そして、機能部品に衝撃力が作用したときには、弾性材が衝撃を吸収するため、ずれることがない。
【００１５】
請求項２の発明によると、機能部品の係止部にパッキンを嵌装させておくことにより、機能部品のハンガーレールへの取付作業が簡易であるとともに、ハンガーレールの任意の場所に、確実に外れにくく取り付けることができる。
【００１６】
請求項３の発明によると、ハンガーレールにパッキンを嵌装させておくことにより、機能部品をそのまま取り付けることにより、ハンガーレールの任意の場所に、確実に外れにくく取り付けることができる。
【００１７】
請求項４の発明によると、コ字形の係止部により係止溝の支持片を挟み込み、それらの間に弾性材が介装されるので、簡単な構造で確実に係止させることができる。
【００１８】
請求項５の発明によると、背面部が壁面に面接触して機能部品が支えられるので、下方からの衝撃力が作用しても機能部品全体が回転方向にずれることがなく、係止部が外れにくい。尚、係止部に弾性材を介装することにより、機能部品の取付位置を弾性方向に微調整できるので、ハンガーレールの取付位置や機能部品の製品の寸法誤差を吸収し、背面部を確実に壁面に接触させて取り付けることができる。
【発明を実施するための最良の形態】
【００１９】
以下、本発明の実施の形態を、図を参照して説明する。
【００２０】
図１は、本発明に係る壁面用ハンガーレールユニットの第一の実施の形態において、機能部品を取り付ける前の縦断面図であり、図２は、機能部品が取り付けられた壁面用ハンガーレールユニットを示す縦断面図である。尚、各部材が取り付けられる際の壁面９側を裏面側とし、壁面９と反対の室内側を表面側とする。
【００２１】
壁面用ハンガーレールユニット１は、ハンガーレール２、支持ブラケット３、及び、用途により取り付けられる各種機能部品からなる。本実施形態では、機能部品は、ハンガーレール２の下部に取り付けられる棚３０及び上部に取り付けられる天板４０とする。
【００２２】
ハンガーレール２は、アルミ等の金属やＰＶＣ等の合成樹脂を材料とし、通常押出成型により製造される長尺の部材である。ハンガーレール２の裏面には、後述する支持ブラケット３の係止突部１３，１６を係止する中央係止溝２１と、各種機能部品を取り付けるための係止溝２２が設けられている。中央係止溝２１及び係止溝２２は、ハンガーレール２の長さ方向に沿って形成される。幅方向中央に中央係止溝２１が形成され、その上下に２つの係止溝２２，２２が形成される。中央係止溝２１の開口側には、上下に抜止片２３，２３が設けられる。係止溝２２の開口側には、それぞれハンガーレール２の内側（中央寄り）の支持片２４と外側の支持片２５が設けられる。内側及び外側の支持片２４，２５は上下対称形とされ、ハンガーレール２全体の断面形状を上下対称形とすることにより、上下いずれの向きでも設置可能であり、施工作業が容易になる。尚、係止溝２２の数は２つに限定されるものではなく、用途や規模により適宜増減可能であるが、上下対称位置に配置することが好ましい。また、ハンガーレール２の表面には、施工等のための溝は形成されないが、意匠設計時に、必要に応じて、表面に凹凸模様等が施される場合がある。
【００２３】
支持ブラケット３は、ブラケット本体４、係止板５、ねじ部材６、カバー７により構成される。ブラケット本体４は、ねじ８により壁面９に固定される基面１１と、基面１１の中央から表面方向に適宜寸法突出した支柱部１２を備える。支柱部１２の突出寸法により、ハンガーレール２と壁面９との隙間寸法が決定される。支柱部１２は空間１２０を有する断面略コ字状を呈し、表面側上部の先端には、ハンガーレール２の中央係止溝２１に係止される係止突部１３が突出形成されている。支柱部１２の上側面に上下方向に雌ねじが形成され、ねじ部材６が螺合される。
【００２４】
係止板５は、略矩形の板状を呈し、ねじ部材６が螺合される雌ねじが形成されている。係止板５の表面側（図の左側）に、ハンガーレール２の中央係止溝２１に係止される係止突部１６が形成されている。係止板５は、例えば、支柱部１２の先端部を切割して形成される。
【００２５】
カバー７は、ブラケット本体４の外側面を覆うものであり、基面１１を壁面９へ取り付けるねじ８の頭部や、ねじ部材６等の視覚的露出を遮るとともに、防水等の機能を有する。
【００２６】
上記各部品を壁面９に施工する手順の概要は、以下の通りである。係止板５及びねじ部材６を取り付けたブラケット本体４を、ねじ８により壁面９に固定し、ブラケット本体４にカバーを被せる。ハンガーレール２の中央係止溝２１の内部に支柱部１２及び係止板５の係止突部１３，１６を挿入し、ねじ部材６を回す。ねじ部材６を回すことにより、係止板５が下側に引き寄せられ、係止突部１３，１６全体が拡径する。係止突部１６が中央係止溝２１の下端に当接し、係止突部１３の上端から係止突部１６の下端までの上下寸法が中央係止溝２１の幅と一致するまでねじ部材６を回す。こうして、ハンガーレール２が支持ブラケット３に取り付けられる。尚、このハンガーレール２と支持ブラケット３との取付方法は一例であり、支持ブラケット３の構造及びハンガーレール２への取付方法は、上記の例に限るものではない。
【００２７】
棚３０は、各種道具等の物品を載置する機能部品として用いられ、ハンガーレール２の下側に取り付けられる。棚３０の表面側上部に、コ字形の係止部３１が設けられる。係止部３１の詳細な構造については後述する。棚３０全体の断面は略コ字形であり、垂直方向の背面部３５を有する。棚３０をハンガーレール２へ取り付けたときに背面部３５がちょうど壁面９に当たるように、棚３０の係止部３１から背面部３５までの前後方向の寸法、又はハンガーレール２と壁面９との隙間間隔が決定される。棚３０の係止部３１は、ハンガーレール２の下側の係止溝２２の下側（外側）の支持片２５に係止される。
【００２８】
天板４０は、ハンガーレール２の上側に取り付けられ、上部棚として用いたり、例えば板部４６を透明材として照明効果等のための機能部品として用いられる。天板４０の台座部４５に、コ字形の係止部４１が設けられる。係止部４１から板部４６の裏面側への突出寸法は、図２に示すように、天板４０をハンガーレール２に取り付けたときに背面部４７がちょうど壁面９に当たる寸法とされる。天板４０の係止部４１は、ハンガーレール２の上側の係止溝２２の下側（内側）の支持片２４に係止される。
【００２９】
以下、棚３０及び天板４０の係止部３１，４１とハンガーレール２の係止溝２２の詳細な構造について説明する。
【００３０】
係止部３１，４１は、ハンガーレール２の支持片２４，２５を挟み込む凹部３２，４２を有する。凹部３２，４２内には、パッキン１０が嵌装されている。
【００３１】
パッキン１０は、適度な弾性を有するとともに、耐熱性、耐候性、耐薬品性等に優れた材質のものとし、例えばオレフィン系熱可塑性エラストマーにより成型された硬度８０程度のものが用いられる。
【００３２】
図３は、図２のＤ部の拡大断面図である。（Ａ）は、棚３０の係止部３１が係止溝２２に係止される直前の状態を示し、（Ｂ）は係止された状態を示す。
【００３３】
図３（Ａ）に示すように、係止部３１は、表面側の係止片３３と裏面側の係止片３４を有し、略コ字形に形成されている。コ字形内側の凹部３２に、パッキン１０が取り付けられる。パッキン１０は、係止部３１への嵌入部１８及び支持片２５への当接部１９を有する。嵌入部１８は、本例では二個所設けられ、係止片３３の裏面側に設けられた嵌入溝３２１に嵌入される。当接部１９は、図３（Ｂ）に示すように、係止部３１がハンガーレール２に係止された際、支持片２５の内面２５１に押圧され、適宜弾性変形する。
【００３４】
係止片３３の端部の形状は、ハンガーレール２の係止溝２２の端部面に当接されるように形成される。係止溝２２の端部には、中央部分の底面２２１から誘導傾斜面２２２を介して当接面２２３が設けられ、当接面２２３の先端から直角方向に溝側面２２４、溝側面２２４の裏面側から支持片２５の内面２５１に向けて傾斜した傾斜面２２５が設けられている。係止片３３を図３（Ａ）の状態から下方へ押し込むと、係止片３３の前面部３３１が、誘導傾斜面２２２により当接面２２３へ誘導される。係止片３３の先端面３３２が溝側面２２４に当接するまで押し込むと、先端傾斜部３３３が傾斜面２２５に当接する。
【００３５】
また、係止片３４の表面側３４２には小突起３４１が形成されていて、この小突起３４１が、ハンガーレール２の支持片２５の裏面２５２に形成された切り込み部２６に係合される。この小突起３４１の係合により、係止部３１が正しい位置に取り付けられたことが確認でき、係止片３４の表面３４２と支持片２５の裏面２５２とが密着する。
【００３６】
このようにして、係止片３３の先端部が係止溝２２の端部各面に当接するとともに、パッキン１０と係止片３４とで支持片２５を挟み込むことにより、係止部３１がハンガーレール２に取り付けられる。以上述べた係止部３１の構造は、天板４０の係止部４１に関しても同様であり、係止部４１は、ハンガーレール２の上側の係止溝２２の内側の支持片２４に、同様にして取り付けられる。
【００３７】
図４は、図２のＤ部の異なる実施形態を示す拡大断面図である。図３と異なる点は、支持片２５の内面２５３の形状であり、図４（Ａ）に示すように、パッキン１０の当接部１９の形状に合わせて曲面状に形成されている。パッキン１０と係止片３４とで支持片２５を挟み込む際、パッキン１０の当接部１９が内面２５２に沿って摺動し、図４（Ｂ）に示すように、曲面状の内面２５２内に当接部１９が嵌め込まれた状態で、係止部３１が支持片２５に係止される。その他の構造は図３と同様である。
【００３８】
図５及び図６は、棚３０及び天板４０をハンガーレール２に取り付ける際の手順を示す。
【００３９】
図５に基づいて、棚３０の取付手順を説明する。先ず、図５（Ａ）に示すように、係止部３１の凹部３２の開放側が表面側を向く方向に棚３０全体を傾け、係止部３１をハンガーレール２の裏面側に配置させる。この状態で、係止部３１の表面側係止片３３の下端部を、係止溝２２の内部に挿入させる。
【００４０】
その後、棚３０を図５（Ａ）の矢印の方向に回転させながら、図５（Ｂ）に示すように、係止片３３を係止溝２２内に配置させる。尚、図５（Ａ）のときに、係止片３３の下端部を支持片２５に引っ掛けておくと、係止部３１全体の上下方向の寸法が係止溝２２の開口幅よりも若干大きくても、係止部３１を係止溝２２内に挿入させることができる。こうすることにより、係止部３１が自然に係止溝２２から外れることがなくなる。
【００４１】
次に、棚３０の背面部３５を壁面９に当接させた状態で、係止部３１が支持片２５を挟み込むように、棚３０を図５（Ｂ）の矢印方向（下方）に押し込む。図３で説明したように、係止部３１が支持片２５に係止され、棚３０が図５（Ｃ）に示す位置に固定される。パッキン１０の弾性により、パッキン１０と裏面側係止片３４とで支持片２５を密着して挟み込む。これにより、振動等が生じても、パッキン１０の弾性で吸収され、棚３０ががたつくことがない。さらに、パッキン１０の弾性により、図の左右方向の棚３０の取付位置を微調整できるので、背面部３５を確実に壁面９に接触させて取り付けることができる。背面部３５が壁面９に面接触することにより、棚３０に下方から衝撃力が作用しても、棚３０全体が自然に回転することがないので、さらに、係止部３１がずれたり外れたりしにくくなる。
【００４２】
次に、図６に基づいて、天板４０の取付手順を説明する。図６（Ａ）に示すように、係止部４１の凹部４２の開放側が裏面側を向く方向に天板４０全体を傾けた状態で、係止部４１をハンガーレール２の裏面側に配置させる。その後、天板４０を矢印の方向に回転させながら、図６（Ｂ）に示すように、係止部４１の表面側係止片４３を係止溝２２内に配置させる。板部４６を水平に保ち、背面部４７を壁面９に当接させた状態で、天板４０を図６（Ｂ）の矢印方向（下方）に押し込んで、図６（Ｃ）に示す状態に固定する。パッキン１０が支持片２４の内面２４１に押圧されて弾性変形することにより、パッキン１０と裏面側係止片４４とで支持片２４を密着して挟み込む。また、棚３０と同様、パッキン１０により取付位置が微調整されるため、背面４７が確実に壁面に面接触する。さらに、台座部４５の表面側がハンガーレール２の支持片２５に当接し（図６（Ｃ）のＥ部）、板部４６の下面がハンガーレール２の上端面に当接（Ｆ部）する。このように、天板４０が複数個所で支持されるため、天板４０の下方から衝撃力が作用しても天板４０が自然に回転することがないので、係止部４１が外れにくい。
【００４３】
図７は、様々な機能部品が取り付けられた壁面用ハンガーレールシステム１の例を示す。図２で示した棚３０や天板４０の他、例えばロールペーパーホルダ７１、フック７２、本棚７３、小物用ボックス７４、椅子７５、傘立て７６、鏡７７等、多種多様な部品を取り付けることができる。本発明は、機能部品に衝撃力が作用しても極めて外れにくい構造であり、幅広い用途の機能部品を取り付けて用いることができる。尚、機能部品を使用する際にかかる荷重が小さい場合や機能部品自体が軽量の場合には、前述の棚３０や天板４０のように背面部が壁面に接触するのではなく、係止部のみによって支持されてもよい。このように様々な機能部品を取り付けることにより、玄関や台所、脱衣所等、あらゆる場所に設置して利用することができる。
【００４４】
尚、図７に示すように、支持ブラケット３は、ハンガーレール２の長さや取り付ける機能部品の種類等に応じて、適宜間隔で複数設けられる。また、ハンガーレール２の左右両端には、端部カバー２９を取り付けて、ハンガーレール２の溝の露出により外観が損なわれるのを防ぐ。図８は、端部カバー２９の例を示す。端部カバー２９は、ハンガーレール２端部の外周を覆うケーシング２９１と、中央係止溝２１に挿入される栓部２９２を備える。尚、栓部２９２は図８に示す形状に限らず、上下の係止溝２２を塞ぐ形状のものを設けたり、全ての係止溝又はいずれかの係止溝の端部のみに挿入される形状等でもよい。また、栓部を設けずに外側のケーシング２９１だけでもよい。
【００４５】
図９及び図１０は、本発明の異なる実施の形態を示し、ハンガーレール２側にパッキン１０が嵌装されたものである。
【００４６】
ハンガーレール２の支持片２４，２５の内側に、パッキン１０が嵌め込まれている。棚５０や天板６０等の機能部品には、それぞれコ字形の係止部５１，６１が設けられる。係止部５１，６１は、凹部５２，６２に支持片２４，２５を挟み込むことにより取り付けられる。
【００４７】
図１０は、棚５０及び天板６０のハンガーレール２への取付時の状態を示す。取付手順は、図５及び図６に示した前述の実施形態と同様であるため、詳細な説明を省略するが、棚５０は、５０ａの位置に配置させ、５０ｂの位置に回転させた後、係止部５１を係止溝２２に係止させて取り付ける。天板６０は、６０ａの位置に配置させ、６０ｂの位置に回転させた後、係止部６１を係止溝２２に係止させて取り付ける。棚５０及び天板６０の係止部５１，６１が支持片２５，２４を挟み込む際に、係止部５１，６１の表面側係止片５３，６３がパッキン１０の当接部１９を押圧し、パッキン１０が弾性変形して、凹部５２，６２内にパッキン１０及び支持片２５，２４が密着して挟み込まれる。パッキン１０の弾性により、棚５０や天板６０に作用する力を吸収するため、係止部５１，６１が外れにくい。さらに、前述の実施形態と同様、棚５０や天板６０の取付位置を微調整して、確実に背面部が壁面９に面接触するように取り付けることができる。そのため、下方から衝撃力が作用しても、棚５０や天板６０全体が自然に回転することがなく、極めて外れにくい構造となる。
【産業上の利用可能性】
【００４８】
本発明に係る壁面用ハンガーレール構造は、屋内、屋外に関わらず壁面に施工することができる。また、大きさ等を変更することにより、広範な規模に適用させることができる。
【図面の簡単な説明】
【００４９】
【図１】本発明の実施の形態において機能部品を取り付ける前の状態を示す縦断面図。
【図２】図１に示す機能部品を取り付けた本発明の実施の形態を示す縦断面図。
【図３】図２のＤ部の拡大断面図。
【図４】図２のＤ部の異なる実施の形態を示す拡大断面図。
【図５】図１の棚３０を取り付ける手順を示す説明図。
【図６】図１の天板４０を取り付ける手順を示す説明図。
【図７】本発明の壁面用ハンガーレールユニットの使用例を示す斜視図。
【図８】端部カバーの例を示す斜視図。
【図９】本発明の異なる実施の形態において機能部品を取り付ける前の状態を示す縦断面図。
【図１０】図７に示す機能部品の取り付け時の状態を示す説明図。
【符号の説明】
【００５０】
１  ハンガーレール構造
２  ハンガーレール
３  支持ブラケット
４  ブラケット本体
５  係止板
６  ねじ部材
９  壁面
１０  パッキン
１２  支柱部
１３，１６  係止突部
１９  当接部
２１  中央係止溝
２２  係止溝
２３  抜止片
２４，２５  支持片
３０，５０  棚
３１，４１，５１，６１  係止部
３２，４２，５２，６２  凹部
３３，４３，５３，６３  係止片（表面側）
３４，４４  係止片（裏面側）
３５，４７  背面部
４０，６０  天板
【図１】
2008061721.tif 000003
【図２】
2008061721.tif 000004
【図３】
2008061721.tif 000005
【図４】
2008061721.tif 000006
【図５】
2008061721.tif 000007
【図６】
2008061721.tif 000008
【図７】
2008061721.tif 000009
【図８】
2008061721.tif 000010
【図９】
2008061721.tif 000011
【図１０】
2008061721.tif 000012